(57)【要約】【課題】  利便性の高い検索機能を備えた電子早見本装置を提供する。【解決手段】  それぞれ所定の文字を示す複数の文字ボタン１００をタッチパネルディスプレイ５２に表示させる文字ボタン表示手段８４と、その文字ボタン表示手段８４により表示された文字ボタン１００への利用者の接触に応じて入力される文字乃至は文字列に対応する所定のショートカットボタン１１０を前記複数の文字ボタン１００と共に前記タッチパネルディスプレイ５２に表示させるショートカットボタン表示手段９８とを、含むことから、文字乃至は文字列が入力された段階で所定のショートカットボタン１１０を自動表示させることで、最少の入力操作により高い確率で目的に合った検索を行うことが可能とされる。【選択図】  図４
2006064783.tif 000002
【特許請求の範囲】
【請求項１】
複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、
それぞれ所定の文字を示す複数の文字ボタンを前記タッチパネルディスプレイに表示させる文字ボタン表示手段と、
該文字ボタン表示手段により表示された文字ボタンへの利用者の接触に応じて入力される文字乃至は文字列に対応する所定のショートカットボタンを前記複数の文字ボタンと共に前記タッチパネルディスプレイに表示させるショートカットボタン表示手段と
を、含むことを特徴とする電子早見本装置。
【請求項２】
前記ショートカットボタン表示手段は、前記文字ボタン表示手段により表示された文字ボタンへの利用者の接触に応じて入力される文字乃至は文字列に前方一致する所定数の歌手名を示すショートカットボタンを前記複数の文字ボタンと共に前記タッチパネルディスプレイに表示させるものであり、
前記文字ボタン表示手段により表示された文字ボタンへの利用者の接触に応じて入力される文字乃至は文字列に基づいて検索される単数乃至は複数の歌手名を示す歌手名ボタンを前記タッチパネルディスプレイに表示させる歌手名ボタン表示手段と、
該歌手名ボタン表示手段により表示された歌手名ボタンへの利用者の接触に応じて検索される単数乃至は複数の演奏曲を示す演奏曲ボタンを前記タッチパネルディスプレイに表示させる一方、前記ショートカットボタン表示手段により表示されたショートカットボタンへの利用者の接触に応じて該ショートカットボタンにより示される歌手名に対応する単数乃至は複数の演奏曲を示す演奏曲ボタンを前記タッチパネルディスプレイに表示させる演奏曲ボタン表示手段と、
該演奏曲ボタン表示手段により前記タッチパネルディスプレイに表示された演奏曲ボタンへの利用者の接触に応じて、該演奏曲ボタンにより示される演奏曲を選曲するための信号を前記カラオケ装置に送信する選曲手段と
を、含むものである請求項１の電子早見本装置。
【請求項３】
前記ショートカットボタン表示手段は、前記文字ボタン表示手段により表示された文字ボタンへの利用者の接触に応じて入力される文字乃至は文字列に曲名が前方一致する所定数の演奏曲を示すショートカットボタンを前記複数の文字ボタンと共に前記タッチパネルディスプレイに表示させるものであり、
前記文字ボタン表示手段により表示された文字ボタンへの利用者の接触に応じて入力される文字乃至は文字列に基づいて検索される単数乃至は複数の演奏曲を示す演奏曲ボタンを前記タッチパネルディスプレイに表示させる演奏曲ボタン表示手段と、
該演奏曲ボタン表示手段により前記タッチパネルディスプレイに表示された演奏曲ボタンへの利用者の接触に応じて該演奏曲ボタンにより示される演奏曲を選曲するための信号を前記カラオケ装置に送信する一方、前記ショートカットボタン表示手段により前記タッチパネルディスプレイに表示されたショートカットボタンへの利用者の接触に応じて該ショートカットボタンにより示される演奏曲を選曲するための信号を前記カラオケ装置に送信する選曲手段と
を、含むものである請求項１の電子早見本装置。
【請求項４】
前記ショートカットボタン表示手段は、前記文字ボタン表示手段により表示された文字ボタンへの利用者の接触に応じて入力される文字乃至は文字列に前方一致する複数の歌手名のうち、過去における選択回数が多いものから所定数の歌手名を示すショートカットボタンを前記タッチパネルディスプレイに表示させるものである請求項２の電子早見本装置。
【請求項５】
前記ショートカットボタン表示手段は、前記文字ボタン表示手段により表示された文字ボタンへの利用者の接触に応じて入力される文字乃至は文字列に前方一致する複数の歌手名のうち、過去における選択回数が最多である所定の歌手名を示すショートカットボタンを前記タッチパネルディスプレイに表示させるものである請求項２の電子早見本装置。
【請求項６】
前記ショートカットボタン表示手段は、前記文字ボタン表示手段により表示された文字ボタンへの利用者の接触に応じて入力される文字乃至は文字列に曲名が前方一致する複数の演奏曲のうち、過去における選択回数が多いものから所定数の演奏曲を示すショートカットボタンを前記タッチパネルディスプレイに表示させるものである請求項３の電子早見本装置。
【請求項７】
前記ショートカットボタン表示手段は、前記文字ボタン表示手段により表示された文字ボタンへの利用者の接触に応じて入力される文字乃至は文字列に曲名が前方一致する複数の演奏曲のうち、過去における選択回数が最多である所定の演奏曲を示すショートカットボタンを前記タッチパネルディスプレイに表示させるものである請求項３の電子早見本装置。
【請求項８】
前記選曲手段による選曲履歴を記憶する選曲履歴データベースを含み、前記ショートカットボタン表示手段は、該選曲履歴データベースに記憶された選曲履歴を参照して前記過去における選択回数を求めるものである請求項４から７の何れかの電子早見本装置。
【請求項９】
前記ショートカットボタン表示手段は、所定のホスト装置から配信される演奏実績を参照して前記過去における選択回数を求めるものである請求項４から７の何れかの電子早見本装置。
【請求項１０】
前記ショートカットボタン表示手段は、前記選曲履歴データベースに記憶された選曲履歴を参照して前記過去における選択回数を求め、該選択回数が所定量未満である場合には、所定のホスト装置から配信される演奏実績を参照して前記過去における選択回数を求めるものである請求項８の電子早見本装置。
【発明の詳細な説明】
【技術分野】
【０００１】
本発明は、複数の演奏曲のうちから選択された所望の演奏曲を出力させるカラオケ装置を遠隔操作するための電子早見本装置の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の画像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ指等の接触（タッチ入力）により簡便に上記カラオケ装置への入力を行うことができる。
【０００４】
【特許文献１】特開２００３−２０２８７２号公報
【０００５】
しかし、前記従来の電子早見本装置において、歌手名や曲名の前方一致検索機能すなわち入力された単数乃至は複数の文字と先頭が一致する歌手名や曲名を検索する機能は備えているものが多いが、これは単に早見本の歌手別や曲別のインデックスを検索するだけのものであった。本発明者等は、一般にカラオケ装置では人気の高い曲が多く演奏されることに着目し、検索の利便性を向上させるための方法を模索した結果、文字入力画面において所定のショートカットボタンを表示させる技術を発想するに至った。
【発明の開示】
【発明が解決しようとする課題】
【０００６】
本発明は、以上の事情を背景として為されたものであり、その目的とするところは、利便性の高い検索機能を備えた電子早見本装置を提供することにある。
【課題を解決するための手段】
【０００７】
斯かる目的を達成するために、本発明の要旨とするところは、複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、それぞれ所定の文字を示す複数の文字ボタンを前記タッチパネルディスプレイに表示させる文字ボタン表示手段と、その文字ボタン表示手段により表示された文字ボタンへの利用者の接触に応じて入力される文字乃至は文字列に対応する所定のショートカットボタンを前記複数の文字ボタンと共に前記タッチパネルディスプレイに表示させるショートカットボタン表示手段とを、含むことを特徴とするものである。
【発明の効果】
【０００８】
このようにすれば、それぞれ所定の文字を示す複数の文字ボタンを前記タッチパネルディスプレイに表示させる文字ボタン表示手段と、その文字ボタン表示手段により表示された文字ボタンへの利用者の接触に応じて入力される文字乃至は文字列に対応する所定のショートカットボタンを前記複数の文字ボタンと共に前記タッチパネルディスプレイに表示させるショートカットボタン表示手段とを、含むことから、文字乃至は文字列が入力された段階で所定のショートカットボタンを自動表示させることで、最少の入力操作により高い確率で目的に合った検索を行うことが可能とされる。すなわち、利便性の高い検索機能を備えた電子早見本装置を提供することができる。
【０００９】
ここで、好適には、前記ショートカットボタン表示手段は、前記文字ボタン表示手段により表示された文字ボタンへの利用者の接触に応じて入力される文字乃至は文字列に前方一致する所定数の歌手名を示すショートカットボタンを前記複数の文字ボタンと共に前記タッチパネルディスプレイに表示させるものであり、前記文字ボタン表示手段により表示された文字ボタンへの利用者の接触に応じて入力される文字乃至は文字列に基づいて検索される単数乃至は複数の歌手名を示す歌手名ボタンを前記タッチパネルディスプレイに表示させる歌手名ボタン表示手段と、その歌手名ボタン表示手段により表示された歌手名ボタンへの利用者の接触に応じて検索される単数乃至は複数の演奏曲を示す演奏曲ボタンを前記タッチパネルディスプレイに表示させる一方、前記ショートカットボタン表示手段により表示されたショートカットボタンへの利用者の接触に応じてそのショートカットボタンにより示される歌手名に対応する単数乃至は複数の演奏曲を示す演奏曲ボタンを前記タッチパネルディスプレイに表示させる演奏曲ボタン表示手段と、その演奏曲ボタン表示手段により前記タッチパネルディスプレイに表示された演奏曲ボタンへの利用者の接触に応じて、その演奏曲ボタンにより示される演奏曲を選曲するための信号を前記カラオケ装置に送信する選曲手段とを、含むものである。このようにすれば、文字乃至は文字列が入力された段階で所定の歌手名を示すショートカットボタンを自動表示させることで、速やかに歌手名検索を行うことができるという利点がある。
【００１０】
また、好適には、前記ショートカットボタン表示手段は、前記文字ボタン表示手段により表示された文字ボタンへの利用者の接触に応じて入力される文字乃至は文字列に曲名が前方一致する所定数の演奏曲を示すショートカットボタンを前記複数の文字ボタンと共に前記タッチパネルディスプレイに表示させるものであり、前記文字ボタン表示手段により表示された文字ボタンへの利用者の接触に応じて入力される文字乃至は文字列に基づいて検索される単数乃至は複数の演奏曲を示す演奏曲ボタンを前記タッチパネルディスプレイに表示させる演奏曲ボタン表示手段と、その演奏曲ボタン表示手段により前記タッチパネルディスプレイに表示された演奏曲ボタンへの利用者の接触に応じてその演奏曲ボタンにより示される演奏曲を選曲するための信号を前記カラオケ装置に送信する一方、前記ショートカットボタン表示手段により前記タッチパネルディスプレイに表示されたショートカットボタンへの利用者の接触に応じてそのショートカットボタンにより示される演奏曲を選曲するための信号を前記カラオケ装置に送信する選曲手段とを、含むものである。このようにすれば、文字乃至は文字列が入力された段階で所定の演奏曲を示すショートカットボタンを自動表示させることで、速やかに曲名検索を行うことができるという利点がある。
【００１１】
また、好適には、前記ショートカットボタン表示手段は、前記文字ボタン表示手段により表示された文字ボタンへの利用者の接触に応じて入力される文字乃至は文字列に前方一致する複数の歌手名のうち、過去における選択回数が多いものから所定数の歌手名を示すショートカットボタンを前記タッチパネルディスプレイに表示させるものである。このようにすれば、人気ある歌手名を迅速に自動表示させることで、歌手名検索の利便性を更に高めることができるという利点がある。
【００１２】
また、好適には、前記ショートカットボタン表示手段は、前記文字ボタン表示手段により表示された文字ボタンへの利用者の接触に応じて入力される文字乃至は文字列に前方一致する複数の歌手名のうち、過去における選択回数が最多である所定の歌手名を示すショートカットボタンを前記タッチパネルディスプレイに表示させるものである。このようにすれば、最も人気ある歌手名を迅速に自動表示させることで、歌手名検索の利便性を可及的に高めることができるという利点がある。
【００１３】
また、好適には、前記ショートカットボタン表示手段は、前記文字ボタン表示手段により表示された文字ボタンへの利用者の接触に応じて入力される文字乃至は文字列に曲名が前方一致する複数の演奏曲のうち、過去における選択回数が多いものから所定数の演奏曲を示すショートカットボタンを前記タッチパネルディスプレイに表示させるものである。このようにすれば、人気ある演奏曲を迅速に自動表示させることで、曲名検索の利便性を更に高めることができるという利点がある。
【００１４】
また、好適には、前記ショートカットボタン表示手段は、前記文字ボタン表示手段により表示された文字ボタンへの利用者の接触に応じて入力される文字乃至は文字列に曲名が前方一致する複数の演奏曲のうち、過去における選択回数が最多である所定の演奏曲を示すショートカットボタンを前記タッチパネルディスプレイに表示させるものである。このようにすれば、最も人気ある演奏曲を迅速に自動表示させることで、曲名検索の利便性を可及的に高めることができるという利点がある。
【００１５】
また、好適には、前記選曲手段による選曲履歴を記憶する選曲履歴データベースを含み、前記ショートカットボタン表示手段は、その選曲履歴データベースに記憶された選曲履歴を参照して前記過去における選択回数を求めるものである。このようにすれば、最新の選曲履歴に基づいて実用的な態様で人気ある歌手名乃至は演奏曲を自動表示させることができるという利点がある。
【００１６】
また、好適には、前記ショートカットボタン表示手段は、所定のホスト装置から配信される演奏実績を参照して前記過去における選択回数を求めるものである。このようにすれば、母集団の大きな選曲履歴に基づいて実用的な態様で人気ある歌手名乃至は演奏曲を自動表示させることができるという利点がある。
【００１７】
また、好適には、前記ショートカットボタン表示手段は、前記選曲履歴データベースに記憶された選曲履歴を参照して前記過去における選択回数を求め、その選択回数が所定量未満である場合には、所定のホスト装置から配信される演奏実績を参照して前記過去における選択回数を求めるものである。このようにすれば、前記選曲履歴データベースに記憶された選曲履歴が少ない場合であっても、実用的な態様で人気ある歌手名乃至は演奏曲を自動表示させることができるという利点がある。
【実施例１】
【００１８】
以下、本発明の好適な実施例を図面に基づいて詳細に説明する。
【００１９】
図１は、本発明の電子早見本装置５０が備え付けられるカラオケ装置１０の構成を例示するブロック線図である。この図１に示すように、上記カラオケ装置１０は、ＣＲＴ等の映像表示装置１２と、ディスクプレーヤ１４と、ビデオミキサ１６と、アンプミキサ１８と、スピーカ２０と、マイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン４８や電子早見本装置５０等の入力装置からのリモコン信号を受信するためのリモコン受信部４２と、その電子早見本装置５０等との間で無線ＬＡＮ通信を行うための無線ＬＡＮ通信部４４とを、備えて構成されている。
【００２０】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン４８や電子早見本装置５０等により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御を実行する。
【００２１】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、前記操作パネル２４の一部機能を遠隔で実行するための入力装置として機能するリモコン４８及び電子早見本装置５０が備えられており、前記リモコン受信部４２は、それら入力装置から送信されるリモコン信号を受信して前記ＣＰＵ２６へ供給する。また、前記無線ＬＡＮ通信部４４は、前記電子早見本装置５０との間で無線ＬＡＮ通信を行うことによりその電子早見本装置５０からの選曲入力を受け付けたり、前記カラオケ装置１０から電子早見本装置５０へ所定の処理を実行させるための指令を送信したりというように、電波を介して前記カラオケ装置１０と電子早見本装置５０との間における相互の情報のやりとりを行う。
【００２２】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００２３】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００２４】
前記ハードディスク３２には、カラオケ演奏曲それぞれのタイトル情報、演奏情報、及び歌詞情報等から成り選曲番号により識別されるカラオケ情報を記憶するカラオケデータベースが設けられている。前記モデム３４は、前記カラオケ装置１０を公衆電話回線等による通信回線４６に接続するための装置である。カラオケボックス等の店舗にそれぞれ備えられた複数のカラオケ装置１０は、上記通信回線４６を介して図示しないカラオケサービス提供会社のホスト装置に接続されており、それら複数のカラオケ装置１０によって常に新しい曲が演奏可能とされるように、随時新曲のカラオケ情報が上記ホスト装置から上記通信回線４６を介してダウンロードされ、前記ハードディスク３２のカラオケデータベースに記憶されるようになっている。すなわち、前記カラオケ装置１０は、電気通信回線を通じて各種情報の送受信を実行し得る通信カラオケ装置である。
【００２５】
図２は、前記電子早見本装置５０の外観を大まかに示す斜視図である。この図２に示すように、前記電子早見本装置５０は、前記カラオケ装置１２を遠隔操作するために、所定の画像（映像）を表示させると共に利用者の接触に応じてそのカラオケ装置１２への入力を行うタッチパネルディスプレイ５２を備えている。この電子早見本装置５０は、クレイドル５４に取り付けられた状態又はそのクレイドル５４から取り外された状態で用いられ、取り付けられた状態においては、そのクレイドル５４及び図示しないＬＡＮケーブルを介して前記カラオケ装置１０に接続されるようになっている。
【００２６】
図３は、前記電子早見本装置５０の構成を説明するブロック線図である。この図３に示すように、前記電子早見本装置５０は、タッチパネルディスプレイ５２に所定の映像を表示させる表示装置５６と、その表示装置５６による表示を制御する表示制御部５８と、利用者の指等によるタッチパネルディスプレイ５２への接触により入力を行うタッチパネル６０と、そのタッチパネル６０による入力を制御する入力制御部６２と、中央演算処理装置であるＣＰＵ６４と、ＲＯＭ６６と、ＲＡＭ６８と、フラッシュＲＯＭ等の記憶部７０と、インターフェイス７２と、リモコン送信部７４と、無線ＬＡＮ通信部７６とを、備えて構成されている。また、上記記憶部７０には、前記カラオケ装置１０のカラオケデータベースに記憶された多数のカラオケ情報それぞれに対応して曲名、歌手名（アーティスト名）、歌詞の歌い出し部分等の選曲案内情報を選曲番号毎に記憶する演奏曲データベース７８と、前記電子早見本装置５０による選曲制御に関する履歴を記憶する選曲履歴データベース８０と、複数のカラオケ装置１０により過去に演奏された回数やＣＤの売上げ枚数等の統計結果に基づいて図示しない所定のホスト装置から配信される演奏曲のランキングが予め定められたランキングテーブル８２とが設けられている。好適には、上記選曲履歴データベース８０は、前記電子早見本装置５０による検索に用いられた文字乃至は文字列毎の選択回数を記憶するものである。
【００２７】
上記ＣＰＵ６４は、上記ＲＡＭ６８の一時記憶機能を利用しつつ上記ＲＯＭ６６に予め記憶された所定のプログラムに基づいて電子情報を処理・制御する所謂コンピュータであり、上記記憶部７０から選曲案内情報を読み出し、上記表示装置５６を介してその選曲案内情報に基づく所定の案内映像を上記タッチパネルディスプレイ５２に表示させたり、そのタッチパネルディスプレイ５２に表示された案内映像に従って上記タッチパネル６０による選曲入力が行われた場合、所定のカラオケ演奏曲を予約するための選曲信号（選曲予約信号）を上記無線ＬＡＮ通信部７６等を介して前記カラオケ装置１０に送信する等の基本的な制御を実行する。また、斯かる選曲制御の一部として、後述するショートカットボタン１１０を用いたショートカット検索制御を実行する。
【００２８】
図４は、前記電子早見本装置５０のＣＰＵ６４に備えられた制御機能の要部を示す機能ブロック線図である。本実施例では、歌手名検索による選曲制御について説明する。図４に示す文字ボタン表示手段８４は、それぞれ所定の文字を示す複数の文字ボタンを前記タッチパネルディスプレイ５２に表示させる。図５は、歌詞名検索による選曲制御における文字入力画面を例示する図である。この図５に示すように、前記文字ボタン表示手段８４は、少なくとも五十音の文字を示す複数の文字ボタン１００を前記タッチパネルディスプレイ５２に表示させる。このタッチパネルディスプレイ５２に表示された文字ボタン１００への利用者の接触に応じて、前記タッチパネル６０及び入力制御部６２を介してそれら文字ボタン１００によって示される文字乃至は文字列が入力される。また、そのようにして入力された文字乃至は文字列が図６に示すように文字表示欄１０２に表示される。
【００２９】
歌手名検索手段８６は、前記文字ボタン表示手段８４により表示された文字ボタン１００への利用者の接触に応じて入力される文字乃至は文字列に基づいて単数乃至は複数の歌手名を検索する。具体的には、上記文字表示欄１０２に文字乃至は文字列が表示されている状態で検索ボタン１０４が利用者の指等による接触にて押されることにより、斯かる文字乃至は文字列と前方一致又は完全一致する単数乃至は複数の歌手名を検索する。例えば、図６に示すように、上記文字表示欄１０２に「は」の文字が表示されている状態で検索ボタン１０４が利用者の指等による接触にて押されることにより、前記演奏曲データベース７８に記憶された情報に基づいてその「は」の文字を先頭とする複数の歌手名を検索する。
【００３０】
歌手名ボタン表示手段８８は、上記歌手名検索手段８６により検索された単数乃至は複数の歌手名を示す歌手名ボタン１０６を前記タッチパネルディスプレイに表示させる。例えば、図７に示すように、「は」の文字を先頭とする複数の歌手名を示す歌手名ボタン１０６を五十音順に前記タッチパネルディスプレイに表示させる。
【００３１】
演奏曲検索手段９０は、上記歌手名ボタン表示手段８８により表示された歌手名ボタン１０６への利用者の接触に応じて単数乃至は複数の演奏曲を検索する。例えば、図７に示す複数の歌手名ボタン１０６のうち、歌手名「浜岡ゆいな」を示す歌手名ボタン１０６ａが利用者の指等による接触にて押された場合には、前記演奏曲データベース７８に記憶された情報に基づいて「浜岡ゆいな」を歌手名とする単数乃至は複数の演奏曲を検索する。
【００３２】
演奏曲ボタン表示手段９２は、上記演奏曲検出手段９０により検索された単数乃至は複数の演奏曲を示す演奏曲ボタン１０８を前記タッチパネルディスプレイ５２に表示させる。例えば、図８に示すように、「浜岡ゆいな」を歌手名とする複数の演奏曲を示す演奏曲ボタン１０８を五十音順に前記タッチパネルディスプレイに表示させる。
【００３３】
選曲手段９４は、前記演奏曲ボタン表示手段９２により前記タッチパネルディスプレイ５２に表示された演奏曲ボタン１０８への利用者の接触に応じて、その演奏曲ボタン１０８により示される演奏曲を選曲するための信号を前記無線ＬＡＮ通信部７６を介して前記カラオケ装置１０に送信する。すなわち、利用者が所望する演奏曲を前記カラオケ装置１０のＲＡＭ３０等に形成された予約曲リストに登録するための選曲予約処理を行う。
【００３４】
ショートカット情報検索手段９６は、前記文字ボタン表示手段８４により表示された文字ボタン１００への利用者の接触に応じて入力される文字乃至は文字列に前方一致する所定数の歌手名を検索する。好適には、前記選曲履歴データベース８０に記憶された情報に基づいて、前記文字ボタン表示手段８４により表示された文字ボタン１００への利用者の接触に応じて入力される文字乃至は文字列に前方一致する複数の歌手名のうち、過去における文字毎の選択回数が多いものから所定数の歌手名を検索する。更に好適には、過去における文字毎の選択回数が最多である所定の歌手名を検索する。この検索は、前記文字ボタン表示手段８４により表示された文字ボタン１００への利用者の接触に応じて文字乃至は文字列が入力されるのに付随して自動的に実行される。また、前記選曲履歴データベース８０に記憶された情報が所定量未満である場合には、前記ランキングテーブル８２に定められた情報すなわち予め統計された広域的な選曲履歴に基づいて斯かる制御を実行する。
【００３５】
上記ショートカット情報検索手段９６によるショートカット情報の検索では、先ず、前記文字ボタン１００への利用者の接触に応じて入力される文字乃至は文字列に前方一致する歌手名が前記選曲履歴データベース８０に記憶された履歴に基づいて検索される。次に、歌手名別に文字毎の選曲回数が参照されてその回数が多い順に並べられる。次に、その文字毎の選曲回数が所定数以上であるか否かが判定され、その判定が肯定される場合には選曲回数が最も多い歌手名がショートカット情報とされるが、文字毎の選曲回数が所定数未満である場合には、前記ランキングテーブル８２に記憶された情報に基づいて上記処理が行われ、そのランキングテーブル８２に応じたショートカット情報が決定される。
【００３６】
ショートカットボタン表示手段９８は、上記ショートカット情報検索手段９６により検索された所定数の歌手名を示すショートカットボタン１１０を前記複数の文字ボタン１００と共に前記タッチパネルディスプレイ５２に表示させる。例えば、図６に示すように、「は」の文字を先頭とする複数の歌手名のうち、過去における選択回数が最多である歌手名「浜岡ゆいな」をベストヒット欄に表示させ、ショートカットボタン１１０とする。このショートカットボタン１１０は、前記文字表示欄１０２に表示される文字乃至は文字列が変更される毎すなわち新たな文字が入力される毎に自動更新される。
【００３７】
前記演奏曲検索手段９０は、上記ショートカットボタン表示手段９８により表示されたショートカットボタン１１０への利用者の接触に応じて単数乃至は複数の演奏曲を検索する。例えば、図６に示すように歌手名「浜岡ゆいな」を示すショートカットボタン１１０が利用者の指等による接触にて押された場合には、前記演奏曲データベース７８に記憶された情報に基づいて「浜岡ゆいな」を歌手名とする単数乃至は複数の演奏曲を検索する。そして、前記演奏曲ボタン表示手段９２は、前記演奏曲検出手段９０により検索された単数乃至は複数の演奏曲を示す演奏曲ボタン１０８を前記タッチパネルディスプレイ５２に表示させる。すなわち、前記ショートカットボタン表示手段９８により表示されるショートカットボタン１１０は、前述した図７に示すような複数の歌手名ボタン１０６のうち何れかを選択させる歌手名ボタン選択画面を表示させることなく、図６に示すような歌手名入力画面から、ダイレクトに図８に示すような演奏曲ボタン選択画面を表示させるためのショートカットキーである。
【００３８】
図９は、前記電子早見本装置５０のＣＰＵ６４による歌手名選曲制御の要部を説明するフローチャートであり、所定の周期で繰り返し実行されるものである。
【００３９】
先ず、前記文字ボタン表示手段８４の動作に対応するステップ（以下、ステップを省略する）ＳＡ１において、五十音の文字を示す複数の文字ボタン１００を含む図５に示すような歌手名入力画面が前記タッチパネルディスプレイ５２に表示される。次に、ＳＡ２において、前記文字ボタン１００への利用者の接触により文字入力が行われたか否かが判断される。このＳＡ２の判断が否定されるうちは、ＳＡ２の判断が繰り返されることにより待機させられるが、ＳＡ２の判断が肯定される場合には、前記ショートカット情報検索手段９６の動作に対応するＳＡ２’において、入力された文字乃至は文字列に対応するショートカット情報である歌手名が検索される。次に、ＳＡ２”において、前記選曲履歴データベース８０が参照されて選曲履歴は所定量以上であるか否かが判断される。このＳＡ２”の判断が肯定される場合には、前記選曲履歴データベース８０に記憶された情報に基づいて利用者の接触に応じて入力された文字乃至は文字列に前方一致する所定の歌手名が検索され、図６に示すように、その歌手名を示すショートカットボタン１１０が前記タッチパネルディスプレイ５２に表示された後、ＳＡ４以下の処理が実行されるが、ＳＡ２”の判断が否定される場合には、前記ランキングテーブル８２に定められた情報に基づいて利用者の接触に応じて入力された文字乃至は文字列に前方一致する所定の歌手名が検索され、図６に示すように、その歌手名を示すショートカットボタン１１０が前記タッチパネルディスプレイ５２に表示された後、ＳＡ４において、ＳＡ３又はＳＡ３’にて表示されたショートカットボタン１１０が利用者の接触により押されたか否かが判断される。このＳＡ４の判断が肯定される場合には、ＳＡ５において、ＳＡ３又はＳＡ３’にて表示されたショートカットボタン１１０により示される歌手名に対応する単数乃至は複数の演奏曲が検索される。次に、ＳＡ６において、ＳＡ５にて検索された単数乃至は複数の演奏曲を示す演奏曲ボタン１０８を含む図８に示すような演奏曲ボタン選択画面が前記タッチパネルディスプレイ５２に表示された後、ＳＡ１３以下の処理が実行される。
【００４０】
ＳＡ４の判断が否定される場合、すなわちＳＡ３又はＳＡ３’にて表示されたショートカットボタン１１０が利用者の接触により押されていないと判断される場合には、ＳＡ７において、ＳＡ１にて表示された文字ボタン１００が新たに押され、更に文字入力が行われたか否かが判断される。このＳＡ７の判断が肯定される場合には、ＳＡ２’以下の処理が再び実行されるが、ＳＡ７の判断が否定される場合には、ＳＡ８において、前記検索ボタン１０４が利用者の接触により押されて検索開始操作がなされたか否かが判断される。このＳＡ８の判断が否定される場合には、ＳＡ７以下の処理が再び実行されるが、ＳＡ８の判断が肯定される場合には、前記歌手名検索手段９０の動作に対応するＳＡ９において、入力された文字乃至は文字列に基づいて単数乃至は複数の歌手名が検索される。次に、前記歌手名ボタン表示手段８８の動作に対応するＳＡ１０において、ＳＡ９にて検索された単数乃至は複数の歌手名を示す歌手名ボタン１０６を含む図７に示すような歌手名ボタン選択画面が前記タッチパネルディスプレイに表示される。次に、ＳＡ１１において、ＳＡ１０にて表示された複数の歌手名ボタン１０６のうち何れかが利用者の接触により押されたか否かが判断される。このＳＡ１１の判断が否定されるうちは、ＳＡ１１の判断が繰り返されることにより待機させられるが、ＳＡ１１の判断が肯定される場合には、ＳＡ１２において、選択された歌手名ボタン１０６により示される歌手名に対応する単数乃至は複数の演奏曲が検索された後、ＳＡ１２’において、それら演奏曲を示す複数の演奏曲ボタン１０８を含む図８に示すような演奏曲ボタン選択画面が前記タッチパネルディスプレイ５２に表示される。次に、ＳＡ１３において、ＳＡ６又はＳＡ１２’にて表示された複数の演奏曲ボタン１０８のうち何れかが利用者の接触により押されたか否かが判断される。このＳＡ１３の判断が否定されるうちは、ＳＡ１３の判断が繰り返されることにより待機させられるが、ＳＡ１３の判断が肯定される場合には、前記選曲手段９４の動作に対応するＳＡ１４において、選択された演奏曲ボタン１０８により示される演奏曲を選曲するための信号が前記無線ＬＡＮ通信部７６を介して前記カラオケ装置１０に送信された後、本ルーチンが終了させられる。以上の制御において、ＳＡ３及びＳＡ３’が前記ショートカット情報検索手段９６及びショートカットボタン表示手段９８の動作に、ＳＡ５及びＳＡ１２が演奏曲検索手段９０の動作に、ＳＡ６及びＳＡ１２’が演奏曲ボタン表示手段９２の動作にそれぞれ対応する。
【００４１】
このように、本実施例によれば、それぞれ所定の文字を示す複数の文字ボタン１００を前記タッチパネルディスプレイ５２に表示させる文字ボタン表示手段８４（ＳＡ１）と、その文字ボタン表示手段８４により表示された文字ボタン１００への利用者の接触に応じて入力される文字乃至は文字列に対応する所定のショートカットボタン１１０を前記複数の文字ボタン１００と共に前記タッチパネルディスプレイ５２に表示させるショートカットボタン表示手段９８（ＳＡ３及びＳＡ３’）とを、含むことから、文字乃至は文字列が入力された段階で所定のショートカットボタン１１０を自動表示させることで、最少の入力操作により高い確率で目的に合った検索を行うことが可能とされる。すなわち、利便性の高い検索機能を備えた電子早見本装置５０を提供することができる。
【００４２】
また、前記ショートカットボタン表示手段９８は、前記文字ボタン表示手段８４により表示された文字ボタン１００への利用者の接触に応じて入力される文字乃至は文字列に前方一致する所定数の歌手名を示すショートカットボタン１１０を前記複数の文字ボタン１００と共に前記タッチパネルディスプレイ５２に表示させるものであり、前記文字ボタン表示手段８４により表示された文字ボタン１００への利用者の接触に応じて入力される文字乃至は文字列に基づいて検索される単数乃至は複数の歌手名を示す歌手名ボタン１０６を前記タッチパネルディスプレイ５２に表示させる歌手名ボタン表示手段８８（ＳＡ１０）と、その歌手名ボタン表示手段８８により表示された歌手名ボタン１０６への利用者の接触に応じて検索される単数乃至は複数の演奏曲を示す演奏曲ボタン１０８を前記タッチパネルディスプレイ５２に表示させる一方、前記ショートカットボタン表示手段９８により表示されたショートカットボタン１１０への利用者の接触に応じてそのショートカットボタン１１０により示される歌手名に対応する単数乃至は複数の演奏曲を示す演奏曲ボタン１０８を前記タッチパネルディスプレイ５２に表示させる演奏曲ボタン表示手段９２（ＳＡ６及びＳＡ１２’）と、その演奏曲ボタン表示手段９２により前記タッチパネルディスプレイ５２に表示された演奏曲ボタン１０８への利用者の接触に応じて、その演奏曲ボタン１０８により示される演奏曲を選曲するための信号を前記カラオケ装置１０に送信する選曲手段９４（ＳＡ１４）とを、含むことから、文字乃至は文字列が入力された段階で所定の歌手名を示すショートカットボタン１１０を自動表示させることで、速やかに歌手名検索を行うことができるという利点がある。
【００４３】
また、前記ショートカットボタン表示手段９８は、前記文字ボタン表示手段８４により表示された文字ボタン１００への利用者の接触に応じて入力される文字乃至は文字列に前方一致する複数の歌手名のうち、過去における選択回数が多いものから所定数の歌手名を示すショートカットボタン１１０を前記タッチパネルディスプレイ５２に表示させるものであるため、人気ある歌手名を迅速に自動表示させることで、歌手名検索の利便性を更に高めることができる。
【００４４】
また、前記ショートカットボタン表示手段９８は、前記文字ボタン表示手段８４により表示された文字ボタン１００への利用者の接触に応じて入力される文字乃至は文字列に前方一致する複数の歌手名のうち、過去における選択回数が最多である所定の歌手名を示すショートカットボタン１１０を前記タッチパネルディスプレイ５２に表示させるものであるため、最も人気ある歌手名を迅速に自動表示させることで、歌手名検索の利便性を可及的に高めることができる。
【００４５】
また、前記選曲手段９４による選曲履歴を記憶する選曲履歴データベース８０を含み、前記ショートカットボタン表示手段９８は、その選曲履歴データベース８０に記憶された選曲履歴を参照して前記過去における選択回数を求めるものであるため、最新の選曲履歴に基づいて実用的な態様で人気ある歌手名乃至は演奏曲を自動表示させることができるという利点がある。
【００４６】
また、前記ショートカットボタン表示手段９８は、所定のホスト装置から配信される演奏実績を参照して前記過去における選択回数を求めるものであるため、母集団の大きな選曲履歴に基づいて実用的な態様で人気ある歌手名乃至は演奏曲を自動表示させることができるという利点がある。
【００４７】
また、前記ショートカットボタン表示手段９８は、前記選曲履歴データベース８０に記憶された選曲履歴を参照して前記過去における選択回数を求め、その選択回数が所定量未満である場合には、前記ランキングテーブル８２に記憶された広域的な演奏実績を参照して前記過去における選択回数を求めるものであるため、前記選曲履歴データベース８０に記憶された選曲履歴が少ない場合であっても、実用的な態様で人気ある歌手名乃至は演奏曲を自動表示させることができるという利点がある。
【００４８】
続いて、本発明の他の好適な実施例を図面に基づいて詳細に説明する。なお、以下の説明に用いる図面に関して、前述した第１実施例と共通する部分については同一の符号を付してその説明を省略する。
【実施例２】
【００４９】
本第２実施例では、曲名検索による選曲制御について説明する。図１０は、曲名検索による選曲制御における文字入力画面を例示する図である。本実施例において、図４に示す演奏曲検索手段９０は、前記文字ボタン表示手段８４により表示された文字ボタン１００への利用者の接触に応じて入力される文字乃至は文字列に基づいて単数乃至は複数の演奏曲を検索する。具体的には、前記文字表示欄１０２に文字乃至は文字列が表示されている状態で検索ボタン１０４が利用者の指等による接触にて押されることにより、斯かる文字乃至は文字列と曲名が前方一致又は完全一致する単数乃至は複数の演奏曲を検索する。例えば、図１１に示すように、前記文字表示欄１０２に「あ」の文字が表示されている状態で検索ボタン１０４が利用者の指等による接触にて押されることにより、前記演奏曲データベース７８に記憶された情報に基づいてその「あ」の文字を先頭とする曲名を有する複数の演奏曲を検索する。
【００５０】
演奏曲ボタン表示手段９２は、前記演奏曲検出手段９０により検索された単数乃至は複数の演奏曲を示す演奏曲ボタン１０８を前記タッチパネルディスプレイ５２に表示させる。例えば、図１２に示すように、「あ」の文字を先頭とする曲名を有する複数の演奏曲を示す演奏曲ボタン１０８を五十音順に前記タッチパネルディスプレイに表示させる。
【００５１】
選曲手段９４は、前記演奏曲ボタン表示手段９２により前記タッチパネルディスプレイ５２に表示された演奏曲ボタン１０８への利用者の接触に応じて、その演奏曲ボタン１０８により示される演奏曲を選曲するための信号を前記無線ＬＡＮ通信部７６を介して前記カラオケ装置１０に送信する。すなわち、利用者が所望する演奏曲を前記カラオケ装置１０のＲＡＭ３０等に形成された予約曲リストに登録するための選曲予約処理を行う。
【００５２】
ショートカット情報検索手段９６は、前記文字ボタン表示手段８４により表示された文字ボタン１００への利用者の接触に応じて入力される文字乃至は文字列に曲名が前方一致する所定数の演奏曲を検索する。好適には、前記選曲履歴データベース８０に記憶された情報に基づいて、前記文字ボタン表示手段８４により表示された文字ボタン１００への利用者の接触に応じて入力される文字乃至は文字列に曲名が前方一致する複数の演奏曲のうち、過去における文字毎の選択回数が多いものから所定数の演奏曲を検索する。更に好適には、過去における文字毎の選択回数が最多である所定の演奏曲を検索する。この検索は、前記文字ボタン表示手段８４により表示された文字ボタン１００への利用者の接触に応じて文字乃至は文字列が入力されるのに付随して自動的に実行される。また、前記選曲履歴データベース８０に記憶された情報が所定量未満である場合には、前記ランキングテーブル８２に定められた情報に基づいて斯かる制御を実行する。
【００５３】
ショートカットボタン表示手段９８は、前記ショートカット情報検索手段９６により検索された所定数の演奏曲を示すショートカットボタン１１０を前記複数の文字ボタン１００と共に前記タッチパネルディスプレイ５２に表示させる。例えば、図１１に示すように、「あ」の文字を先頭とする曲名を有する複数の演奏曲のうち、過去における選択回数が最多である曲名「愛の小夜曲」をベストヒット欄に表示させ、ショートカットボタン１１０とする。このショートカットボタン１１０は、前記文字表示欄１０２に表示される文字乃至は文字列が変更される毎すなわち新たな文字が入力される毎に自動更新される。
【００５４】
選曲手段９４は、前記ショートカットボタン表示手段９８により表示されたショートカットボタン１１０への利用者の接触に応じてそのショートカットボタン１１０により示される演奏曲を選曲するための信号を前記無線ＬＡＮ通信部７６を介して前記カラオケ装置１０に送信する。例えば、図１１に示すように曲名「愛の小夜曲」を示すショートカットボタン１１０が利用者の指等による接触にて押された場合には、その演奏曲「愛の小夜曲」を選曲するための信号を前記無線ＬＡＮ通信部７６を介して前記カラオケ装置１０に送信する。すなわち、前記ショートカットボタン表示手段９８により表示されるショートカットボタン１１０は、前述した図１２に示すような複数の演奏曲ボタン１０８のうち何れかを選択させる演奏曲ボタン選択画面を表示させることなく、図１１に示すような曲名入力画面から、ダイレクトに所定の演奏曲を選曲するためのショートカットキーである。
【００５５】
図１３は、前記電子早見本装置５０のＣＰＵ６４による曲名選曲制御の要部を説明するフローチャートであり、所定の周期で繰り返し実行されるものである。
【００５６】
先ず、前記文字ボタン表示手段８４の動作に対応するＳＢ１において、五十音の文字を示す複数の文字ボタン１００を含む図１０に示すような曲名入力画面が前記タッチパネルディスプレイ５２に表示される。次に、ＳＢ２において、前記文字ボタン１００への利用者の接触により文字入力が行われたか否かが判断される。このＳＢ２の判断が否定されるうちは、ＳＢ２の判断が繰り返されることにより待機させられるが、ＳＢ２の判断が肯定される場合には、前記ショートカット情報検索手段９６の動作に対応するＳＢ２’において、入力された文字乃至は文字列に対応するショートカット情報である歌手名が検索される。次に、ＳＢ２”において、前記選曲履歴データベース８０が参照されて選曲履歴は所定量以上であるか否かが判断される。このＳＢ２”の判断が肯定される場合には、前記選曲履歴データベース８０に記憶された情報に基づいて利用者の接触に応じて入力された文字乃至は文字列に前方一致する所定の曲名が検索され、図１１に示すように、その曲名を示すショートカットボタン１１０が前記タッチパネルディスプレイ５２に表示された後、ＳＢ４以下の処理が実行されるが、ＳＢ２”の判断が否定される場合には、前記ランキングテーブル８２に記憶された情報に基づいて利用者の接触に応じて入力された文字乃至は文字列に前方一致する所定の曲名が検索され、図１１に示すように、その曲名を示すショートカットボタン１１０が前記タッチパネルディスプレイ５２に表示された後、ＳＢ４において、ＳＢ３又はＳＢ３’にて表示されたショートカットボタン１１０が利用者の接触により押されたか否かが判断される。このＳＢ４の判断が肯定される場合には、ＳＢ５において、ＳＢ３又はＳＢ３’にて表示されたショートカットボタン１１０により示される演奏曲を選曲するための信号が前記無線ＬＡＮ通信部７６を介して前記カラオケ装置１０に送信された後、本ルーチンが終了させられる。
【００５７】
ＳＢ４の判断が否定される場合、すなわちＳＢ３又はＳＢ３’にて表示されたショートカットボタン１１０が利用者の接触により押されていないと判断される場合には、ＳＢ６において、ＳＢ１にて表示された文字ボタン１００が新たに押され、更に文字入力が行われたか否かが判断される。このＳＢ６の判断が肯定される場合には、ＳＢ２’以下の処理が再び実行されるが、ＳＢ６の判断が否定される場合には、ＳＢ７において、前記検索ボタン１０４が利用者の接触により押されて検索開始操作がなされたか否かが判断される。このＳＢ７の判断が否定される場合には、ＳＢ６以下の処理が再び実行されるが、ＳＢ７の判断が肯定される場合には、前記演奏曲検索手段９０の動作に対応するＳＢ８において、入力された文字乃至は文字列に基づいて単数乃至は複数の演奏曲が検索される。次に、前記演奏曲ボタン表示手段９２の動作に対応するＳＢ９において、ＳＢ８にて検索された単数乃至は複数の演奏曲を示す演奏曲ボタン１０８を含む図１２に示すような演奏曲ボタン選択画面が前記タッチパネルディスプレイに表示される。次に、ＳＢ１０において、ＳＢ９にて表示された複数の演奏曲ボタン１０８のうち何れかが利用者の接触により押されたか否かが判断される。このＳＢ１０の判断が否定されるうちは、ＳＢ１０の判断が繰り返されることにより待機させられるが、ＳＢ１０の判断が肯定される場合には、ＳＢ１１において、選択された演奏曲ボタン１０８により示される演奏曲を選曲するための信号が前記無線ＬＡＮ通信部７６を介して前記カラオケ装置１０に送信された後、本ルーチンが終了させられる。以上の制御において、ＳＢ３及びＳＢ３’が前記ショートカット情報検索手段９６及びショートカットボタン表示手段９８の動作に、ＳＢ５及びＳＢ１１が前記選曲手段９４の動作にそれぞれ対応する。
【００５８】
このように、本実施例によれば、前記ショートカットボタン表示手段９８（ＳＢ３及びＳＢ３’）は、前記文字ボタン表示手段８４により表示された文字ボタン１００への利用者の接触に応じて入力される文字乃至は文字列に曲名が前方一致する所定数の演奏曲を示すショートカットボタン１１０を前記複数の文字ボタン１００と共に前記タッチパネルディスプレイ５２に表示させるものであり、前記文字ボタン表示手段８４により表示された文字ボタン１００への利用者の接触に応じて入力される文字乃至は文字列に基づいて検索される単数乃至は複数の演奏曲を示す演奏曲ボタン１０８を前記タッチパネルディスプレイ５２に表示させる演奏曲ボタン表示手段９２（ＳＢ９）と、その演奏曲ボタン表示手段９２により前記タッチパネルディスプレイ５２に表示された演奏曲ボタン１０８への利用者の接触に応じてその演奏曲ボタン１０８により示される演奏曲を選曲するための信号を前記カラオケ装置１０に送信する一方、前記ショートカットボタン表示手段９８により前記タッチパネルディスプレイ５２に表示されたショートカットボタン１１０への利用者の接触に応じてそのショートカットボタン１１０により示される演奏曲を選曲するための信号を前記カラオケ装置１０に送信する選曲手段９４（ＳＢ５及びＳＢ１１）とを、含むことから、文字乃至は文字列が入力された段階で所定の演奏曲を示すショートカットボタン１１０を自動表示させることで、速やかに曲名検索を行うことができるという利点がある。
【００５９】
また、前記ショートカットボタン表示手段９８は、前記文字ボタン表示手段８４により表示された文字ボタン１００への利用者の接触に応じて入力される文字乃至は文字列に曲名が前方一致する複数の演奏曲のうち、過去における選択回数が多いものから所定数の演奏曲を示すショートカットボタン１１０を前記タッチパネルディスプレイ５２に表示させるものであるため、人気ある演奏曲を迅速に自動表示させることで、曲名検索の利便性を更に高めることができる。
【００６０】
また、前記ショートカットボタン表示手段９８は、前記文字ボタン表示手段８４により表示された文字ボタン１００への利用者の接触に応じて入力される文字乃至は文字列に曲名が前方一致する複数の演奏曲のうち、過去における選択回数が最多である所定の演奏曲を示すショートカットボタン１１０を前記タッチパネルディスプレイ５２に表示させるものであるため、最も人気ある演奏曲を迅速に自動表示させることで、曲名検索の利便性を可及的に高めることができる。
【００６１】
以上、本発明の好適な実施例を図面に基づいて詳細に説明したが、本発明はこれに限定されるものではなく、更に別の態様においても実施される。
【００６２】
例えば、前述の実施例において、前記ショートカットボタン表示手段９８は、図６及び図１１に示すように、過去における選択回数が最多である所定の歌手名又は演奏曲を示す単一のショートカットボタン１１０を前記タッチパネルディスプレイ５２に表示させるものであったが、２つ乃至は数個のショートカットボタン１１０を表示させ、何れかを選択させるものであっても構わない。
【００６３】
また、前述の実施例における曲名選曲制御では、所定の演奏曲を示すショートカットボタン１１０が利用者の接触により押されることで、そのショートカットボタン１１０により示される演奏曲を選曲するための信号が前記カラオケ装置１０に向けて送信されるようになっていたが、例えば、前記ショートカットボタン１１０が利用者の接触により押されることで、そのショートカットボタン１１０により示される演奏曲を示す演奏曲ボタン１０８を表示させ、その演奏曲ボタン１０８が利用者の接触により押されることではじめて選曲送信を実行するものであっても構わない。
【００６４】
また、前述の実施例では、歌手名選曲制御及び曲名選曲制御ともに共通の選曲履歴データベース８０に記憶された情報に基づいてショートカット情報の検索を実行するものであったが、歌手名検索用と曲名検索用とで個別の選曲履歴データベースを備え、それらに記憶された情報に基づいてショートカット情報の検索を実行するものであっても構わない。
【００６５】
また、前述の実施例において、前記電子早見本装置５０は、前記無線ＬＡＮ通信部７６を介して前記カラオケ装置１０への選曲信号の送信を行うものであったが、例えば、前記リモコン送信部７４からリモコン信号として選曲信号の送信を行うものであっても当然に構わない。
【００６６】
その他、一々例示はしないが、本発明はその趣旨を変更しない範囲内において種々の変更が加えられて実施されるものである。
【図面の簡単な説明】
【００６７】
【図１】本発明の電子早見本装置が備え付けられるカラオケ装置の構成を例示するブロック線図である。
【図２】本発明の一実施例である電子早見本装置の外観を大まかに示す斜視図である。
【図３】図２の電子早見本装置の構成を説明するブロック線図である。
【図４】図２の電子早見本装置のＣＰＵに備えられた制御機能の要部を示す機能ブロック線図である。
【図５】図２の電子早見本装置のタッチパネルディスプレイに表示される歌手名検索における文字入力画面を例示する図である。
【図６】図２の電子早見本装置のタッチパネルディスプレイに表示される歌手名を示すショートカットボタンを含む文字入力画面を例示する図である。
【図７】図２の電子早見本装置のタッチパネルディスプレイに表示される歌手名ボタン選択画面を例示する図である。
【図８】図２の電子早見本装置のタッチパネルディスプレイに表示される演奏曲ボタン選択画面を例示する図である。
【図９】図４の電子早見本装置のＣＰＵによる歌手名選曲制御の要部を説明するフローチャートである。
【図１０】図２の電子早見本装置のタッチパネルディスプレイに表示される曲名検索における文字入力画面を例示する図である。
【図１１】図２の電子早見本装置のタッチパネルディスプレイに表示される演奏曲を示すショートカットボタンを含む文字入力画面を例示する図である。
【図１２】図２の電子早見本装置のタッチパネルディスプレイに表示される演奏曲ボタン選択画面を例示する図である。
【図１３】図４の電子早見本装置のＣＰＵによる曲名選曲制御の要部を説明するフローチャートである。
【符号の説明】
【００６８】
１０：カラオケ装置
５０：電子早見本装置
５２：タッチパネルディスプレイ
８０：選曲履歴データベース
８４：文字ボタン表示手段
８８：歌手名ボタン表示手段
９２：演奏曲ボタン表示手段
９４：選曲手段
９８：ショートカットボタン表示手段
１００：文字ボタン
１０６：歌手名ボタン
１０８：演奏曲ボタン
１１０：ショートカットボタン
【図１】
2006064783.tif 000003
【図２】
2006064783.tif 000004
【図３】
2006064783.tif 000005
【図４】
2006064783.tif 000006
【図５】
2006064783.tif 000007
【図６】
2006064783.tif 000008
【図７】
2006064783.tif 000009
【図８】
2006064783.tif 000010
【図９】
2006064783.tif 000011
【図１０】
2006064783.tif 000012
【図１１】
2006064783.tif 000013
【図１２】
2006064783.tif 000014
【図１３】
2006064783.tif 000015